(57)【要約】【課題】棟と平行な垂直端面の面積が小さい屋根ユニットであっても、転倒することなく確実にその垂直端面を底面として屋根ユニットを直立させて保持することができる屋根ユニット保持用架台を提供すること。【解決手段】この屋根ユニット保持用架台５は、棟１１ａとその棟１１ａから互いに傾斜して延びる野地板１２，１３とを有する屋根ユニット１１の垂直端面１４を底面として屋根ユニット１１を直立保持するための屋根ユニット保持用架台５であって、垂直端面１４と係合する係合ピン９ａと、野地板１２の傾斜に沿ってその野地板１２を支持するための野地板支持枠７とを有する。【選択図】図２
2004150082.tif 000002
【特許請求の範囲】
【請求項１】
棟とその棟から互いに傾斜して延びる野地板とを有する屋根ユニットの棟と平行な垂直端面を底面として該屋根ユニットを直立保持するための屋根ユニット保持用架台であって、
前記棟と平行な垂直端面に係合する係合部と、
前記野地板の傾斜に沿ってその野地板を支持するための野地板支持枠とを有することを特徴とする屋根ユニット保持用架台。
【請求項２】
前記係合部が前記棟と平行な垂直端面に形成された係合孔に係合する係合ピンであることを特徴とする請求項１に記載の屋根ユニット保持用架台。
【請求項３】
平板状の屋根パネルの板面が前記屋根ユニットの野地板の板面と平行となるように該屋根パネルを支持可能であることを特徴とする請求項１又は請求項２のうちいずれかに記載の屋根ユニット保持用架台。
【請求項４】
前記屋根ユニットの野地板に固定されて該野地板を支持する支持部材が前記野地板支持枠に収納可能に設けられていることを特徴とする請求項１から請求項３のうちいずれか１項に記載の屋根ユニット保持用架台。
【請求項５】
前記支持部材の一端部が前記野地板支持枠に枢着され、回動可能に収納可能であることを特徴とする請求項４に記載の屋根ユニット保持用架台。
【発明の詳細な説明】
【０００１】
【発明の属する技術分野】
この発明は、棟を有する屋根ユニットにおいて、その棟と平行な垂直端面を底面として直立保持し、またはその保持状態で屋根ユニットを運搬するための屋根ユニット保持用架台に関する。
【０００２】
【従来の技術】
従来から、ユニット住宅等のユニット建物においては、あらかじめ製造工場内で屋根梁・野地板・小屋根パネル等が組み付けられて屋根ユニットとされたものが建築現場に運送され、建築現場において建物上部にその屋根ユニットが組み付けられている。また、外観部材としての屋根パネルも、工場で製造された後に建築現場に運送され、建築現場において屋根ユニットの野地板への組み付けが行われている。
【０００３】
例えば、工場でユニット化した屋根をトラックの荷台上に垂直に立てて現場に運び、その荷台から屋根を吊り下げて所望の姿勢まで反転させる方法が考案されている（例えば、特許文献１）。この方法によれば、屋根を寝かせることなく直立させて運搬することができるので、トラックの荷台から屋根がはみ出すこともなく安全に効率よく運搬することができるものとなっている。
【０００４】
【特許文献１】
特開昭５９−４２１５２号公報
【０００５】
【発明が解決しようとする課題】
しかしながら、この特許文献１に記載の方法によれば、屋根を直立させた場合にその底面に当たる面が広い面積を有して自立するような場合にはトラックの荷台に載せて建築現場に運ぶことができるが、例えば図１２に示すように棟１ａから野地板２，３が互いに傾斜して延びるような屋根ユニット１においては、直立させた場合にその底面となる棟と平行な垂直端面（以下、垂直端面と略す。）４の面積が小さいために自立することができず、この垂直端面４を底面として直立させて荷台に載せることができないという問題がある。
【０００６】
例え何らかの支持手段によってこの屋根ユニット１を支持したとしても、底面としての垂直端面４の面積が小さいので直立させた場合に不安定となってしまい、トラックの荷台に載せて運搬するような場合は、揺れて転倒することも考えられる。
【０００７】
本発明は上記の事情に鑑みて為されたもので、棟と平行な垂直端面の面積が小さい屋根ユニットであっても、転倒することなく確実にその垂直端面を底面として屋根ユニットを直立させて保持することができる屋根ユニット保持用架台を提供することを課題とする。
【０００８】
【課題を解決するための手段】
上記の課題を解決するために、本発明の請求項１に記載の屋根ユニット保持用架台は、棟とその棟から互いに傾斜して延びる野地板とを有する屋根ユニットの棟と平行な垂直端面を底面として屋根ユニットを直立保持するための屋根ユニット保持用架台であって、棟と平行な垂直端面に係合する係合部と、野地板の傾斜に沿ってその野地板を支持するための野地板支持枠とを有することを特徴とする。
【０００９】
請求項２に記載の屋根ユニット保持用架台は、請求項１に記載の屋根ユニット保持用架台において、係合部が棟と平行な垂直端面に形成された係合孔に係合する係合ピンであることを特徴とする。
【００１０】
請求項３に記載の屋根ユニット保持用架台は、請求項１又は請求項２のうちいずれかに記載の屋根ユニット保持用架台において、平板状の屋根パネルの板面が屋根ユニットの野地板の板面と平行となるように屋根パネルを支持可能であることを特徴とする。
【００１１】
請求項４に記載の屋根ユニット保持用架台は、請求項１から請求項３のうちいずれか１項に記載の屋根ユニット保持用架台において、屋根ユニットの野地板に固定されて野地板を支持する支持部材が野地板支持枠に収納可能に設けられていることを特徴とする。
【００１２】
請求項５に記載の屋根ユニット保持用架台は、請求項４に記載の屋根ユニット保持用架台において、支持部材の一端部が野地板支持枠に枢着され、回動可能に収納可能であることを特徴とする。
【００１３】
【発明の実施の形態】
以下、本発明の実施の形態を図面に基づいて説明する。
【００１４】
図１（ａ）〜図１（ｃ）は、本発明の実施の形態に係る屋根ユニット保持用架台５の３面図であり、図２はその外観斜視図である。この実施の形態においては、屋根ユニット保持用架台５は、鉄・アルミ等の金属を材料とする断面四角形の柱状部材が骨組みされて構成されている。
【００１５】
もちろん屋根ユニット保持用架台を構成する柱状部材としては、金属材料に限られず、木材等であってもよい。また、柱状部材の断面も四角形に限る必要はなく、円断面・楕円断面の柱状部材を用いてもよい。柱状部材を用いるものでなく、板状パネルを用いて屋根ユニット保持用架台を構成してももちろんよい。
【００１６】
この屋根ユニット保持用架台５は、底面部６、野地板支持枠７、補助枠８ａ，８ｂ、係合部としての係合ピン９ａ，９ｂで大略構成されている。
【００１７】
底面部６は、屋根ユニット１１（図４参照）や屋根パネル１５（図７参照）を載置するためのもので、その上面には野地板支持枠７、補助枠８ａ，８ｂ、係合ピン９ａ，９ｂが固定されている。また、後述するように、この屋根ユニット保持用架台５を運送用トラックの荷台に吊り下げて載せる際に用いるワイヤロープを連結するためのフック１０が周囲に設けられている。さらに、運送用トラックに荷台に積み上げた際、その荷台に設けられた複数のピンと係合する位置に図示しない係合孔が形成されている。
【００１８】
野地板支持枠７は、底面部６の中央部で図１（ｂ）中やや右寄りに固定されている。屋根ユニット１１の野地板１２を支持するための傾斜部７ａと，屋根パネル１５を支持するための傾斜部７ｂとを有して、側方から見た場合に略三角形状を呈している。
【００１９】
傾斜部７ｂの上部には図１（ａ）中左右２カ所に支持部材１６が設けられている。この支持部材１６は、傾斜部７ａで支持されない方の野地板１３を支持するためのもので、一端部１６ａで野地板支持枠７の傾斜部７ｂに枢着されている。屋根ユニット１１の野地板１３の支持のために使用するときには、図１（ｂ）に示すように傾斜部７ｂから突出するようにして屋根ユニット１１の野地板１３に固定され、使用しないときには一端部１６ａを軸として反対向きに回転させ、野地板支持枠７の傾斜部７ｂに沿うように収納可能とされている。
【００２０】
補助枠８ａ，８ｂは、屋根ユニット１１、屋根パネル１５がずれないように補助的に支持するための枠で、底面部６の上面に衝立状に突出して固定されている。
【００２１】
係合部としての係合ピン９ａは、屋根ユニット１１の棟と平行な垂直端面（以下、垂直端面と略す。）１４に形成された係合孔１４ａ（図５参照）に挿通されて屋根ユニット１１を確実に支持するためのものである。係合ピン９ｂは、屋根パネル１５の軒先部１５ａに形成された係合孔１５ｂ（図８参照）に挿通されて屋根パネル１５を確実に支持するためのものである。
【００２２】
次に、屋根ユニット１１と屋根パネル１５とを屋根ユニット保持用架台５上に載置し、その後この屋根ユニット保持用架台５を運送用トラックの荷台に積み上げて建築現場に運送し、建築現場にて屋根ユニット保持用架台５から屋根ユニット１１と屋根パネル１５とを積み降ろす一連の手順を図３に示すフローチャートに基づきつつ説明する。
【００２３】
まず、工場内で屋根ユニット１１を組み立てる（Ｓ．１）。この屋根ユニット１１は、棟１１ａを有し、その棟１１ａから互いに傾斜して延びる野地板１２，１３も有している。野地板１２は、棟１１ａから垂直端面１４に至るように設けられており、その垂直端面１４には鋼製梁１４ｂが備えられている。野地板１３は棟１１ａから垂直端面１４とは反対の方向に向かって軒先部１３ｂまで延びている。屋根ユニット１１には小屋根パネル１７等も取り付けられている。
【００２４】
野地板１２，１３にはそれぞれ２箇所ずつフック１２ａ，１３ａが取り付けられている（図６も参照）。このフック１２ａ，１３ａは屋根ユニット１１を屋根ユニット保持用架台５に載置する際、また、屋根ユニット保持用架台５から屋根ユニット１１を積み降ろす際にワイヤロープ１８を連結して図示しないクレーンで吊り下げるためのものである。
【００２５】
野地板１３の２箇所のフック１３ａにワイヤロープ１８をそれぞれ連結し、屋根ユニット１１を吊り上げる。ワイヤロープ１８はクレーンに連結された横材１９にそれぞれフック１３ａの間隔に相当する間隔で固定されている。屋根ユニット１１は垂直端面１４を下にして、垂直端面１４、軒先部１３ａを横材１９と平行な状態としつつクレーンにより徐々に吊り上げられる。
【００２６】
次に、屋根ユニット１１を屋根ユニット保持用架台５上まで移動し、図４に示すようにクレーンを徐々に下げつつ垂直端面１４を底面としつつ屋根ユニット保持用架台５上に載置する（Ｓ．２）。この際、屋根ユニット１１が補助枠８ａと野地板支持枠７の傾斜部７ａとの間になるように降ろしていく。
【００２７】
図５に示すように、垂直端面１４に備えられた鋼製梁１４ｂには係合ピン９ａに対応する位置に係合孔１４ａが形成されている。この係合ピン９ａが係合孔１４ａに挿通されるように係合ピン９ａと係合孔１４ａとを係合しつつ、野地板１２が傾斜部７ａに沿って支持されるように屋根ユニット１１を載置する。これにより、屋根ユニット１１は、垂直端面１４を底面として屋根ユニット保持用架台５上に直立保持される。
【００２８】
屋根ユニット１１を屋根ユニット保持用架台５に載置した後、支持部材１６で屋根ユニット１１の野地板１３を固定する（Ｓ．３）。支持部材１６は、野地板支持枠７の傾斜部７ｂに沿うようにして図６（ａ）中左右２箇所に収納されている。その一端部１６ａを中心として反対向きに回転させ、図６（ａ）に示すように支持部材１６が傾斜部７ｂから突出するように位置させることにより、支持部材１６によって屋根ユニット１１の野地板１３を支持する。
【００２９】
図６（ｂ）に図６（ａ）中Ａ部の詳細を示すように、支持部材１６の他端部１６ｂ近傍には固定ボルトを挿通するための孔１６ｃが形成されている。この孔１６ｃが野地板１３の裏面に配された垂木２０上になるように位置決めしつつ野地板１３にドリルによる孔あけを行い、図示しない固定ボルトとナットにより支持部材１６と野地板１３とを固定する。屋根ユニット１１をクレーンで吊り下げたままの状態で、この支持部材１６による野地板１３の固定を左右２箇所について行う。
【００３０】
支持部材１６による野地板１３の固定が完了したら、野地板１３のフック１３ａからワイヤロープ１８をはずし、ワイヤロープ１８を屋根パネル１５に設けられた４箇所のフック１５ｃのうち２箇所にそれぞれ連結し、クレーンで吊り上げる。屋根パネル１５は軒先部１５ａを下にして、その軒先部１５ａを横材１９と平行な状態としつつクレーンにより徐々に吊り上げられる。
【００３１】
屋根パネル１５を屋根ユニット保持用架台５上まで移動し、クレーンを徐々に下げながら軒先部１５ａを底面としつつ屋根ユニット保持用架台５上に載置する（Ｓ．４）。この際、屋根パネル１５が補助枠８ｂと野地板支持枠７の傾斜部７ｂとの間になるように降ろしていく（図７（ａ）参照）。
【００３２】
軒先部１５ａには係合ピン９ｂに対応する位置に係合孔１５ｂが形成されている。この係合ピン９ｂが係合孔１５ｂに挿通されるように係合ピン９ｂと係合孔１５ｂとを係合しつつ、屋根パネル１５が傾斜部７ａに沿って支持されるように屋根パネル１５を載置する。屋根パネル１５は平板状であり、屋根パネル１５の板面は屋根ユニット１１の野地板１３の板面と平行となるように立てかけられて支持されることとなる。
【００３３】
図７（ｂ）に示すように、２枚目の屋根パネル１５についてもクレーンで吊り上げて屋根ユニット保持用架台５上に載置するが、その手順は上記１枚目の屋根パネル１５の場合と同様であるので説明を省略する。２枚の屋根パネル１５が屋根ユニット保持用架台５上に載置された後、屋根ユニット１１の側面と屋根パネル１５の側面とを、固定金具２２（図９参照）で固定する。
【００３４】
次に、屋根ユニット１１及び２枚の屋根パネル１５がその上に載置された屋根ユニット保持用架台５を図８に示すように運送用トラックの荷台２１上に積み上げる（Ｓ．５）。屋根ユニット保持用架台５には、その底面部６の四隅近傍に４箇所のフック１０が設けられている。４本のワイヤロープ１８をそれぞれこのフック１０に連結し、図示しないクレーンで底面部６の水平を保ちつつ屋根ユニット保持用架台５を荷台２１上に積み上げる。屋根ユニット保持用架台５の荷台２１への積み上げが完了したら、運送用トラックで屋根ユニット保持用架台５を建築現場まで運送する（Ｓ．６）。
【００３５】
荷台２１には複数の図示しない係合ピンが配置されていて、屋根ユニット保持用架台５を積み上げた際にその底面部６に形成された係合孔と係合するようになっている。この係合ピンと係合孔とが係合することにより、荷台２１上の所定の位置に屋根ユニット保持用架台５を載せることができ、運送の際にも屋根ユニット保持用架台５がずれたり不安定になることはない。さらに、屋根ユニット保持用架台５をワイヤロープ等で荷台２１にしっかりと固定する。
【００３６】
建築現場への運送が完了すると、荷台２１から屋根ユニット保持用架台５を降ろすことなく、そのまま屋根パネル１５の積み降ろしを行う（Ｓ．７）。具体的には以下の手順にて行う。
【００３７】
まず、屋根パネル１５から固定金具２２を外し、屋根パネル１５の４箇所のフック１５ｃにそれぞれワイヤロープ１８を連結する。このとき、図９に示すように、屋根ユニット保持用架台５に載置された状態での屋根パネル１５の片側上下のフック１５ｃに１本のワイヤロープ１８を連結し、そのワイヤロープ１８を横材１９に引っかけるようにする。反対側の上下のフック１５ｃにも同様に１本のワイヤロープ１８を連結し、そのワイヤロープ１８を横材１９に引っかけるようにする。
【００３８】
図示しないクレーンで屋根パネル１５を吊り上げ、所望の位置まで移動させて降ろす。この際、両側に各１本のワイヤロープ１８が横材１９に引っかけられてそれぞれ片側上下のフック１５ｃに連結された、いわゆるつるべ式の吊り上げ方式となっているので、吊り上げた状態で、屋根パネル１５の姿勢を直立させた状態から横に寝かせた状態へと自由に変更することができる。
【００３９】
図１０に示すように、２枚目の屋根パネル１５についても固定金具２２を外し、  図示しないクレーンで吊り上げて所望の位置まで移動させて降ろすが、その手順は１枚目の屋根パネル１５の場合と同様であるので詳細は省略する。
【００４０】
２枚の屋根パネル１５の積み降ろしが終了すると、続いて屋根ユニット１１の積み降ろしを行う（Ｓ．８）。屋根ユニット１１の場合も、まず固定金具２２を外し、屋根ユニット１１の４箇所のフック１２ａ，１３ａにそれぞれワイヤロープ１８を連結する。図１１に示すように、屋根ユニット保持用架台５に載置された状態での屋根ユニット１１の片側上下のフック１３ａ，１２ａに１本のワイヤロープ１８を連結し、そのワイヤロープ１８を横材１９に引っかけるようにする。反対側の上下のフック１３ａ，１２ａにも同様に１本のワイヤロープ１８を連結し、そのワイヤロープ１８を横材１９に引っかけるようにする。
【００４１】
図示しないクレーンで屋根ユニット１１を吊り上げ、所望の位置まで移動させて降ろす。この際、上述のいわゆるつるべ式の吊り上げ方式となっているので、吊り上げた状態で、屋根ユニット１１の姿勢を直立させた状態から横に寝かせた状態へと自由に変更することができる。
【００４２】
【発明の効果】
以上説明したように、本願の請求項１に係る発明によれば、棟と平行な垂直端面に係合する係合部と、野地板の傾斜に沿ってその野地板を支持するための野地板支持枠とを有しているので、その垂直端面の面積が小さい屋根ユニットであっても、転倒することなく確実に垂直端面を底面として屋根ユニットを直立させて保持することができる。また、その直立保持の状態のまま、運送用トラックの荷台に積み上げたり、建築現場にまで運送したりすることもできる。
【００４３】
請求項２に係る発明によれば、係合部が棟と平行な垂直端面に形成された係合孔に係合する係合ピンであるので、屋根ユニット保持用架台と屋根ユニットとの係合がより確実となり、さらに安定して屋根ユニットの直立保持が可能となる。また、その直立保持状態での運送等もより安定して行うことができる。
【００４４】
請求項３に係る発明によれば、平板状の屋根パネルの板面が屋根ユニットの野地板の板面と平行となるように屋根パネルを支持可能であるので、屋根ユニットのみならず屋根パネルをも安定して保持することができる。屋根パネルは屋根ユニットの野地板に立てるように保持することが可能であるので、トラックの荷台からはみ出すことなく運送等を行うこともできる。
【００４５】
請求項４に係る発明によれば、屋根ユニットの野地板に固定されて野地板を支持する支持部材が野地板支持枠に収納可能に設けられているので、支持部材によりさらに確実に屋根ユニットを支持できる上に、その支持部材を使用しない場合は収納することができるので邪魔になることもない。
【００４６】
請求項５に係る発明によれば、支持部材の一端部が野地板支持枠に枢着され、回動可能に収納可能であるので、請求項４に係る発明が奏する効果に加え、簡単な構造で、容易に収納可能とすることができる。
【図面の簡単な説明】
【図１】本発明の実施の形態に係る屋根ユニット保持用架台の３面図であって、（ａ）は側方から見た側方図であり、（ｂ）は正面から見た正面図であり、（ｃ）は底面から見た底面図である。
【図２】図１に示す屋根ユニット保持用架台の外観斜視図である。
【図３】屋根ユニットと屋根パネルとを屋根ユニット保持用架台上に載置し、その後この屋根ユニット保持用架台を運送用トラックの荷台に積み上げて建築現場に運送し、建築現場にて屋根ユニット保持用架台から屋根ユニットと屋根パネルとを積み降ろす一連の手順を説明するフローチャートである。
【図４】屋根ユニット保持用架台上に屋根ユニットを載置する様子を示す図である。
【図５】屋根ユニットの棟と平行な垂直端面の係合孔に屋根ユニット保持用架台の係合ピンを係合する様子を示す図である。
【図６】支持部材によって屋根ユニットの野地板を固定する様子を説明する図であって、（ａ）は収納された支持部材を回転させて野地板を支持する様子を示す図であり、（ｂ）は野地板にドリルによる孔あけを行い、固定ボルトで支持部材と野地板とを固定する様子を示す（ａ）中Ａ部詳細図である。
【図７】屋根ユニット保持用架台上に屋根パネルを載置する様子を示す図であって、（ａ）は１枚目の屋根パネルを載置する様子を示す図であり、（ｂ）は２枚目の屋根パネルを載置する様子を示す図である。
【図８】屋根ユニットと屋根パネルとが載置された屋根ユニット保持用架台を運送用トラックの荷台に積み上げる様子を示す図である。
【図９】荷台上の屋根ユニット保持用架台から１枚目の屋根パネルを積み降ろす様子を示す図である。
【図１０】荷台上の屋根ユニット保持用架台から２枚目の屋根パネルを積み降ろす様子を示す図である。
【図１１】荷台上の屋根ユニット保持用架台から屋根ユニットを積み降ろす様子を示す図である。
【図１２】棟を有してその棟から野地板が互いに傾斜して延びる屋根ユニットを示す外観斜視図である。
【符号の説明】
５…屋根ユニット保持用架台
７…野地板支持枠
９ａ…係合ピン（係合部）
１１…屋根ユニット
１１ａ…棟
１２，１３…野地板
１４…棟と平行な垂直端面
１４ａ…係合孔
１５…屋根パネル
１６…支持部材
１６ａ…一端部
【図１】
2004150082.tif 000003
【図２】
2004150082.tif 000004
【図３】
2004150082.tif 000005
【図４】
2004150082.tif 000006
【図５】
2004150082.tif 000007
【図６】
2004150082.tif 000008
【図７】
2004150082.tif 000009
【図８】
2004150082.tif 000010
【図９】
2004150082.tif 000011
【図１０】
2004150082.tif 000012
【図１１】
2004150082.tif 000013
【図１２】
2004150082.tif 000014